(57)【要約】  【課題】  簡単な構成で画像品質の向上を図ることができる画像読取装置および画像形成装置を提供すること。  【解決手段】  読取手段で読み取った原稿の画像を画像信号に変換する画像読取装置において、読取手段は、長手方向が主走査方向に沿って延在するとともに、主走査方向に離隔し、かつ長手方向の一部が副走査方向に対向するように千鳥状に配置された第１読取センサ９および第２読取センサ１１から構成されており、第１読取センサ９および第２読取センサ１１の対向位置には、それぞれ対向する読取センサ９、１１に向かって突出する一方の接続部材２５および他方の接続部材２７が設けられ、一方の接続部材２５および他方の接続部材２７は、第１ばね２６に付勢されることにより、圧接される。【選択図】      図１
2005198254.tif 000002
【特許請求の範囲】
【請求項１】
読取手段で読み取った原稿の画像を画像信号に変換する画像読取装置において、
前記読取手段は、長手方向が主走査方向に沿って延在するとともに、主走査方向に離隔し、かつ長手方向の一部が副走査方向に対向するように千鳥状に配置された複数の読取センサから構成されており、
前記各読取センサの対向位置には、それぞれ対向する読取センサに向かって突出する一方の接続手段および他方の接続手段が設けられ、
前記一方の接続手段および他方の接続手段は、付勢手段に付勢されることにより、圧接されることを特徴とする画像読取装置。
【請求項２】
前記一方の接続手段および他方の接続手段は、前記読取センサに一体的に設けられることを特徴とする請求項１に記載の画像読取装置。
【請求項３】
前記一方の接続手段および他方の接続手段は、前記読取センサと別体に設けられ、固定手段によって前記読取センサに固定されることを特徴とする請求項１に記載の画像読取装置。
【請求項４】
前記一方の接続手段と他方の接続手段との圧接位置は、対向する読取センサの読取範囲の繋ぎ目位置に設定されることを特徴とする請求項１〜請求項３の何れか１項に記載の画像読取装置。
【請求項５】
前記一方の読取センサおよび他方の読取センサの何れか一方が、
前記一方の読取センサおよび他方の読取センサの何れか他方の圧接部に圧接する円柱部材を備えたことを特徴とする請求項１〜請求項４の何れかに記載の画像読取装置。
【請求項６】
前記読取センサを保持するベース部と、前記ベース部と前記読取センサとを連結する支持部と備え、
前記支持部は、前記ベース部と前記読取センサとを主走査方向および副走査方向に位置調整自在に支持していることを特徴とする請求項１〜請求項５の何れか１項に記載の画像読取装置。
【請求項７】
前記読取センサを上下方向に回動自在に支持するベース部と、前記ベース部と前記読取センサとの間に設けられ、前記読取センサを前記ベース部方向に付勢する付勢手段と、前記付勢手段の付勢力に抗して前記読取センサを上下方向に押圧調整する調整部材とを備えたことを特徴とする請求項１〜５の何れか１項に記載の画像読取装置。
【請求項８】
請求項１〜請求項７の何れか１項に記載の画像読取装置を搭載し、記録媒体に画像を形成する画像形成手段を備えたことを特徴とする画像形成装置。
【発明の詳細な説明】
【技術分野】
【０００１】
本発明は、複写機、プリンタ装置、ファクシミリ装置等の画像形成装置およびこの画像形成装置に搭載される画像読取装置に関する。
【背景技術】
【０００２】
一般的に、画像読取装置に用いられる読取手段（読取センサ）として、特許文献１および図８（ａ）に示すように原稿Ｓの幅方向全体に渡る長さを有する読取センサ１０１で読み取る方式がある。
【０００３】
この読み取り方式では、高品質の画像を簡単に得ることができるが、原稿Ｓの幅方向全体をカバーするセンサの長さが必要であり、読取センサ１０１の部品コストが増大するという問題がある。
【０００４】
このような問題を解決するものとしては、図８（ｂ）に示すように、読取センサ１０１を幅方向に千鳥状に複数配置することにより、読取センサ１０１の幅を短くして部品コストの削減を図っているものがある。
【０００５】
なお、読取センサ１０１のタイプとしては、図８（ｃ）に示すように、読取センサ１０１とコンタクトガラスとの間に縮小レンズ１０５を配置する方式もある。
上述の図８（ｂ）に示す方式は、コストを安く抑えることができるとともに装置の大きさをコンパクトにすることができるが、各読取センサで画像を読み取った後、画像の合成を行う際等の画像処理が複雑になると、熱膨張により読取センサの位置がずれ易いという問題がある。
【０００６】
この問題を解消するものとしては、特許文献２に示す画像読取装置がある。この画像読取装置は、ベース部材上に千鳥状に配置されたイメージセンサを、スペーサによって長手方向に移動可能に支持し、隣接する２つのイメージセンサの間を接続部材によって接続するようにしている。このため、環境温度の変化によってベース部材が伸縮しても、隣接する２つのイメージセンサの端部同士の位置関係を一定に保つことができ、環境温度の変化による読取画像のずれを防止することができる。
【特許文献１】特開２００３−８８３１号公報
【特許文献２】特開平５−３３６３０１号公報
【発明の開示】
【発明が解決しようとする課題】
【０００７】
しかしながら、特許文献２に記載された画像読取装置にあっては、読取センサと接続部材とを接着やネジ等を用いて固定しているため、ネジ取り付け時の外力や接着材の固化時の収縮等によって取り付けの前後で読取センサの固定位置がずれてしまい、読み取った画像にズレが生じるおそれがある。
【０００８】
また、それぞれの読取センサ同士を接続部材で固定する前に、読取センサの位置調整を行うため、精度良く調整するための調整機構が複雑になるという問題がある。
【０００９】
本発明はこのような問題を解決するためになされたもので、簡単な構成で画像品質の向上を図ることができる画像読取装置および画像形成装置を提供することを目的とする。
【課題を解決するための手段】
【００１０】
本発明の画像読取装置は、読取手段で読み取った原稿の画像を画像信号に変換する画像読取装置において、前記読取手段は、長手方向が主走査方向に沿って延在するとともに、主走査方向に離隔し、かつ長手方向の一部が副走査方向に対向するように千鳥状に配置された複数の読取センサから構成されており、前記各読取センサの対向位置には、それぞれ対向する読取センサに向かって突出する一方の接続手段および他方の接続手段が設けられ、前記一方の接続手段および他方の接続手段は、付勢手段に付勢されることにより、圧接されるものから構成されている。
【００１１】
この構成により、対向する読取センサの一方の接続手段と他方の接続手段とが付勢手段に付勢されて圧接されるので、接続手段を介して読取センサ同士が一体化する。このため、温度環境の変化により読取センサが熱膨張した場合でも、読取センサの繋ぎ目の位置が接続手段を介して連結されるので、読取センサ同士の位置関係に変動が生じ難く、読取センサの位置ズレを防止して、読み取った画像に画像ズレや画像欠け等が発生するのを防止することができる。この結果、画像品質の向上を図ることができる。
【００１２】
また、対向する読取センサ同士を付勢手段に付勢される接続手段を介して接続したので、特許文献２に示すように読取センサ同士を接着やネジ等で締結する場合に比べて、読取センサの取り付けの前後で外力の影響による取り付け位置のズレの発生を抑えることができる。したがって、読み取った画像に画像ズレや画像欠け等が生じるのを防止することができ、画像品質の向上を図ることができる。
【００１３】
また、一方の接続手段と他方の接続手段とを付勢手段によって圧接しているので、画像読取装置の構成を簡素化することができるとともに、読取センサの取付けを容易に行うことができる。
【００１４】
さらに、一方の接続手段と他方の接続手段とを付勢手段によって圧接しているので、読取センサの主走査方向の取り付け後に、副走査方向および原稿面に対するピント調整を行なうことができる。
【００１５】
また、本発明の画像読取装置の前記一方の接続手段および他方の接続手段は、前記読取センサに一体的に設けられるものから構成されている。
【００１６】
この構成により、読取センサの構成を簡素化することができる。
【００１７】
また、本発明の画像読取装置の前記一方の接続手段および他方の接続手段は、前記読取センサと別体に設けられ、固定手段によって前記読取センサに固定されるものから構成されている。
【００１８】
この構成により、接続手段の材質を読取センサの熱膨張係数より小さい材質にすることにより、温度環境の変化により読取センサが熱膨張した場合でも、読取センサの繋ぎ目の位置の変位を生じ難くすることができ、読取センサ同士の位置関係の変動をより一層生じ難くすることができる。
【００１９】
本発明の画像読取装置の一方の接続手段と他方の接続手段との圧接位置は、対向する読取センサの読取範囲の繋ぎ目位置に設定される。
【００２０】
この構成により、接続手段と読取センサ（特に基板）との材質の違いによる熱膨張係数の差がある場合等でも、繋ぎ目の位置がずれることがなく、読取センサ同士の位置関係に変動を生じ難くすることができる。
【００２１】
本発明の画像読取装置は、前記一方の読取センサおよび他方の読取センサの何れか一方が、前記一方の読取センサおよび他方の読取センサの何れか他方の圧接部に圧接する円柱部材を備えたものから構成されている。
【００２２】
この構成により、接続手段の何れか一方が円柱部材に圧接するので、接続手段の圧接面が面接触である場合よりも圧接面における挙動をスムーズにすることができ、読取センサの取り付け後に読取センサの位置調整を容易に行うことができる。
【００２３】
本発明の画像読取装置は、前記読取センサを保持するベース部と、前記ベース部と前記読取センサとを連結する支持部と備え、前記支持部は、前記ベース部と前記読取センサとを主走査方向および副走査方向に位置調整自在に支持しているものから構成されている。
【００２４】
この構成により、温度環境の変化により読取センサが主走査方向に膨張した場合でも、読取センサが膨張による伸びに連動して移動することができ、読取センサの変形を防止できる。
【００２５】
また、読取センサが副走査方向に対して位置調整自在に支持されているので、読取センサをベース部に取り付けた後においても、読取センサを副走査方向に位置調整することができる。
【００２６】
本発明の画像読取装置は、前記読取センサを上下方向に回動自在に支持するベース部と、前記ベース部と前記読取センサとの間に設けられ、前記読取センサを前記ベース部方向に付勢する付勢手段と、前記付勢手段の付勢力に抗して前記読取センサを上下方向に押圧調整する調整部材とを備えたものから構成されている。
【００２７】
この構成により、読取センサを上下方向に押圧調整する調整部材を設けているので、読取センサをベース部に取り付けた後でも、調整部材を操作することによって読取センサを上下方向に回動してピント調整を行うことができる。
【００２８】
また、本発明の画像形成装置は、上述した画像読取装置を搭載し、記録媒体に画像を形成する画像形成手段を備えたものから構成されている。
【００２９】
この構成により、対向する読取センサの一方の接続手段と他方の接続手段とが付勢手段に付勢されて圧接されるので、接続手段を介して読取センサ同士が一体化する。このため、温度環境の変化により読取センサが熱膨張した場合でも、読取センサの繋ぎ目の位置が接続手段を介して連結されるので、読取センサ同士の位置関係に変動が生じ難く、読取センサの位置ズレを防止して、読み取った画像に画像ズレや画像欠け等が発生するのを防止することができる。この結果、画像品質の向上を図ることができる。
【００３０】
また、対向する読取センサ同士を付勢手段に付勢される接続手段を介して接続したので、特許文献２に示すように読取センサ同士を接着やネジ等で締結する場合に比べて、読取センサの取り付けの前後で外力の影響による取り付け位置のズレの発生を抑えることができる。したがって、読み取った画像に画像ズレや画像欠け等が生じるのを防止することができ、画像品質の向上を図ることができる。
【００３１】
また、一方の接続手段と他方の接続手段とを付勢手段によって圧接しているので、構成を簡素化することができるとともに、読取センサの取付けを容易に行うことができる。
【００３２】
さらに、一方の接続手段と他方の接続手段とを付勢手段によって圧接しているので、読取センサの主走査方向の取り付け後に、副走査方向および原稿面に対するピント調整を行うことができる。
【発明の効果】
【００３３】
本発明によれば、簡単な構成で画像品質の向上を図ることができる画像読取装置および画像形成装置を提供することができる。
【発明を実施するための最良の形態】
【００３４】
以下、本発明の実施形態について、図面を用いて説明する。
【００３５】
図１〜図７は、本発明に係る画像読取装置および画像読取装置を搭載する画像形成装置の一実施の形態を示す図であり、画像形成装置として複写機を例にしている。なお、画像形成装置としては、複写機に限らず、プリンタ装置、ファクシミリ装置等に適用しても良い。
【００３６】
図１は複写機５０の全体構成を示す図であり、画像読取装置１は複写機５０の上部に搭載されている。複写機５０の下方にはシート状の記録紙を収納する給紙カセット５１と、ロール状の記録紙を収納する給紙カセット５２、５３とを備えており、これら給紙カセット５１〜５３に収納された記録紙は給紙ローラ５１ａ、５２ａ、５３ａによって給紙された後、搬送ローラ５４によって上方の画像形成手段５５に搬送される。
【００３７】
画像形成手段５５は、感光体ドラム５６と、感光体ドラム５６を帯電する帯電装置５７と、感光体ドラム５６に画像信号を形成して感光体ドラム５６上に静電潜像を形成する照射装置５８と、感光体ドラム５６上にトナーを付着させて静電潜像を可視像化する現像装置５９と、記録紙にトナー画像を転写する転写装置６０と、記録紙に画像転写した後の感光体ドラム５６上のトナーを除去するクリーニング装置６１と、記録紙に記録されたトナー像を記録紙に定着する定着装置６２とを備えている。
【００３８】
また、画像読取装置１は、図２に示すように挿入口から挿入された原稿Ｓをコンタクトガラス３に搬送する第１の搬送ローラ５と、コンタクトガラス３上にある原稿Ｓの画像を読み取る読取手段（読取センサ）９、１１と、コンタクトガラス３上の原稿Ｓを案内する圧板１３と、読み取りの終了した原稿Ｓを挿入口と反対方向に排出する第２の搬送ローラ７とを備えている。
【００３９】
読取センサは、図３に示すように、第１の搬送ローラ５によって搬送された原稿Ｓの一部を読み取る第１の読取手段（第１読取センサ）９と、第１読取センサ９で読み取った画像以外の領域を読み取る第２の読取手段（第２読取センサ）１１とを備えている。
【００４０】
第１読取センサ９は上流側における主走査方向の両側の位置に設けられており、原稿Ｓの両側部Ｓ２を読み取るようになっている。また、第２読取センサ１１は、第１読取センサ９から所定距離だけ下流側に離れた位置で且つ主走査方向の中央部Ｓ１に設けられており、原稿Ｓの中央部Ｓ１を読み取るようになっている。
【００４１】
すなわち、第１読取センサ９および第２読取センサ１１は、長手方向が主走査方向に沿って延在するとともに、主走査方向に離隔し、かつ長手方向の一部（第２読取センサ１１の両端部）が副走査方向に対向するように千鳥状に配置されている。
【００４２】
第１読取センサ９および第２読取センサ１１の内部には照明ランプ１５が設けられており、この照明ランプ１５から原稿Ｓの画像に対して所定量の光を照射し、画像面から反射した画像パターンに対応する反射光をセルフォックスレンズ（結像レンズ）１７を介してセンサ基板１９上の受光素子２１に等倍に結像するようになっている。なお、照明ランプ１５、セルフォックスレンズ１７およびセンサ基板１９等は筐体２３に保持されている。
【００４３】
第１読取センサ９および第２読取センサ１１は箱型のベース部３１内に設けられており、第１読取センサ９のセンサ基板１９の一方の端部には一方の接続部材（接続手段）２５が固定され、この接続部材２５は第２読取センサ１１に向けて突出している。また、第２読取センサ１１のセンサ基板２０の両端部には他方の接続部材２７が固定されており、他方の接続部材２７は第１読取センサ９に向けて突出している。
【００４４】
ここで、図５に基づいて接続部材２５、２７の具体的な構成を説明する。図５において、第１の接続部材２５は、本体２５ａと、本体２５ａに回転自在に支持され、第２の接続部材２７に向かって突出するピン（円柱部材）２５ｂとを備えており、センサ基板１９よりも熱膨張係数の小さい金属から構成されている。
【００４５】
また、接続部材２７は、本体２７ａと、本体２７から接続部材２５に向かって突出し、ピン２５ｂに圧接するＬ字形状の圧接部２７ｂと、ベース部３１に立設された位置決めピン３９に係合する係合片２７ｃとを備えており、センサ基板２０よりも熱膨張係数の小さい金属から構成されている。
【００４６】
また、接続部材２５のピン２５ｂと接続部材２７の圧接部２７ｂとの圧接位置は第１読取センサ９の読取範囲と第２読取センサ１１の読取範囲との繋ぎ目位置に設定されており（図３中、ＡおよびＢで示す）、ピン２５ｂと圧接部２７ｂは主走査方向において圧接されている。なお、図３に示す平面図では接続部材２５、２７をハッチングで示している。
【００４７】
また、センサ基板１９の他方の端部とベース部３１に設けられたブラケット２９との間には第１ばね（付勢手段）２６が設けられており、この第１ばね２６はセンサ基板１９を介して第１読取センサ９を主走査方向外方に向かって付勢している。このため、接続部材２５および接続部材２７は主走査方向に圧接される。
【００４８】
また、センサ基板１９およびセンサ基板２０の両端部とベース部３１に設けられたブラケット２８との間には第２ばね（付勢手段）４３が設けられており、この第２ばね４３は第１読取センサ９および第２読取センサ１１を主走査方向を回転軸とする回転方向に付勢している。なお、第１ばね２６および第２ばね４３はセンサ基板１９側に固定されている。
【００４９】
また、ベース部３１には調整ネジ（調整部材）４５が設けられており（図２、図４参照）、この調整ネジ４５を上方に螺合させて移動させることにより、読取センサ９、１１が第２ばね４３の付勢力に抗して上方に押圧したり、調整ネジ４５を下方に螺合させて移動させることにより、読取センサ９、１１を第２ばね４３で付勢して下方に回転させることで回転方向の位置決めを行う。
【００５０】
また、第１読取センサ９および第２読取センサ１１はベース部３１に設けられた支持部３３によって支持されている。具体的には、接続部材２７の係合片２７ｃがベース部３１に立設された位置決めピン３９に係合しているとともに、第１読取センサ９の両端部に設けられた基準ピン３５ａおよび第２読取センサ１１の両端部に設けられた基準ピン３５ｂが支持部３３に形成された係合穴３７に係合しており、読取センサ９、１１の副走査方向の規制が行われている。
【００５１】
また、読取センサ９、１１の主走査方向に対する動きは、ベース部３１に立設された位置決めピン３９が第２読取センサ１１の第２接続部材２７に設けられた係合片２７ｃに突き当たることによって規制されている。
【００５２】
また、支持部３３の底部にはガイド穴４９が形成されており、このガイド穴４９を通してベース部３１にネジ４７を螺合することにより、支持部３３がベース部３１に固定される。また、ガイド穴４９は副走査方向に長く形成されており、支持部３３はベース部３１に対して副走査方向に位置調整できるようになっている。
【００５３】
一方、図７に示すように、第１読取センサ９で読み取られた画像データは、Ａ／Ｄ変換回路６１によってアナログデータからデジタルデータに変換されるようになっており、このデジタルデータは遅延回路６２により所定時間の間、一時的に図示しないメモリに格納される。
【００５４】
また、第２読取センサ１１で読み取られた画像データは、Ａ／Ｄ変換回路６３によってアナログデータからデジタルデータに変換されるようになっており、このデジタルデータは画像合成回路６４によって上述したメモリに一時的に格納されている第１読取センサ９で読み取られた画像データと合成されて図示しない画像処理回路に送信される。
【００５５】
次に、本実施の形態の画像読取装置２１の作用について説明する。
【００５６】
原稿挿入口から挿入された原稿Ｓは、第１の搬送ローラ５によってコンタクトガラス３上に搬送される。このとき、図６に示すように、第１読取センサ９によって搬送される原稿Ｓの両側部Ｓ２が読み取られた後、第２読取センサ１１により搬送される原稿の中央部Ｓ１が読み取られる。
【００５７】
この読み取られた原稿の画像データは、Ａ／Ｄ変換回路６１によってアナログデータからデジタルデータに変換された後、遅延回路６２により所定時間の間、一時的に図示しないメモリに格納される。
【００５８】
また、第２読取センサ１１で読み取られた画像データは、Ａ／Ｄ変換回路６３によってアナログデータからデジタルデータに変換された後、画像合成回路６４によって上述したメモリに一時的に格納されている第１読取センサ９で読み取られた画像データと合成されて図示しない画像処理回路に送信され、画像処理回路によって処理される。この結果、主走査方向に一列に揃った画像データを得ることができる。
【００５９】
次に、第１読取センサ９および第２読取センサ１１をベース部３１に取り付ける方法を説明する。
【００６０】
図４に示す状態にあるベース部３１に、第１読取センサ９および第２読取センサ１１を取り付ける場合には、第２読取センサ１１に設けられた基準ピン３５ｂを支持部３３に形成された係合穴３７に係合するとともに、係合片２７ｃを位置決めピン３９に係合して第２読取センサ１１をベース部３１上に位置決めした後、第２ばね４３をブラケット２８に取り付ける。
【００６１】
次いで、第１読取センサ９に設けられた基準ピン３５ａを支持部３３に形成された係合穴３７に係合して第１読取センサ９をベース部３１上に位置決めした後、第２ばね４３をブラケット２９に取り付けるとともに、第１ばね２６をブラケット２９に取り付ける。
【００６２】
このとき、読取センサ９、１１の主走査方向に対する動きは、ベース部３１に立設された位置決めピン３９が第２読取センサ１１の第２接続部材２７に設けられた係合片２７ｃに突き当たることによって規制される。
【００６３】
また、第１ばね２６によって第１読取センサ９が主走査方向外方に付勢されることにより、接続部材２５のピン２５ｂが接続部材２７の圧接部２７ｂに圧接されて第１読取センサ９および第２読取センサ１１が主走査方向に位置決めされる。
【００６４】
また、第１読取センサ９および第１読取センサ１１が第２ばね４３に付勢されることにより、第１読取センサ９および第２読取センサ１１が回転方向に付勢される。このとき、ベース部３１には調整ネジ４５が設けられているため、この調整ネジ４５を上方に螺合させて移動させることにより、読取センサ９、１１が第２ばね４３の付勢力に抗して上方に押圧したり、調整ネジ４５を下方に螺合させて移動させることにより、読取センサ９、１１を第２ばね４３で付勢して下方に回転させることで回転方向の位置決めを行う。
【００６５】
また、支持部３３の底部には副走査方向に長尺のガイド穴４９が形成されているため、ガイド穴４９にネジ４７に沿って移動させてネジ４７を支持部３３に螺合することにより、第１読取センサ９および第１読取センサ１１の副走査方向の位置決めを行う。
【００６６】
このように本実施の形態では、対向する読取センサ９、１１の接続部材２５と接続部材２７とを第１ばね２６によって付勢して圧接したので、接続部材２５、２７を介して読取センサ９、１１同士を一体化することができる。
【００６７】
このため、温度環境の変化により読取センサ９、１１が熱膨張した場合でも、読取センサ９、１１の繋ぎ目の位置が接続部材２５、２７を介して連結されるので、読取センサ９、１１同士の位置関係に変動が生じ難く、読取センサ９、１１の位置ズレを防止して、読み取った画像に画像ズレや画像欠け等が発生するのを防止することができる。この結果、画像品質の向上を図ることができる。
【００６８】
また、対向する読取センサ９、１１同士を第１ばね２６に付勢される接続部材２５、２７を介して接続したので、特許文献２に示すように読取センサ９、１１同士を接着やネジ等で締結する場合に比べて、読取センサ９、１１の取り付けの前後で外力の影響による取り付け位置のズレの発生を抑えることができる。したがって、読み取った画像に画像ズレや画像欠け等が生じるのを防止することができ、画像品質の向上を図ることができる。
【００６９】
また、接続部材２５、２７を第１ばね２６によって圧接しているので、画像読取装置１の構成を簡素化することができるとともに、読取センサ９、１１の取付けを容易に行うことができる。
【００７０】
また、接続部材２５、２７を第１ばね２６によって圧接しているので、読取センサ９、１１の主走査方向の取り付け後に、副走査方向および原稿面に対するピント調整を行うことができる。
【００７１】
また、本実施の形態の接続部材２５、２７を読取センサ９、１１に一体的に設けたので、読取センサ９、１１の構成を簡素化することができる。なお、接続部材２５、２７を読取センサ９、１１と別体に設け、ネジ等の固定手段によって読取センサ９、１１に固定しても良い。このように構成した場合には、接続部材２５、２７の材質を読取センサ９、１１のセンサ基板１９、２０の熱膨張係数より小さい材質にすることにより、温度環境の変化により読取センサ９、１１が熱膨張した場合でも、読取センサ９、１１の繋ぎ目の位置の変位を生じ難くすることができ、読取センサ９、１１同士の位置関係の変動をより一層生じ難くすることができる。
【００７２】
また、本実施の形態では、接続部材２５、２７の圧接位置を対向する読取センサ９、１１の読取範囲の繋ぎ目位置に設定したので、接続部材２５、２７と読取センサ９、１１（特にセンサ基板１９、２０）との材質の違いによる熱膨張係数の差がある場合等でも、繋ぎ目の位置がずれることがなく、読取センサ同士の位置関係に変動を生じ難くすることができる。
【００７３】
また、本実施の形態では、接続部材２５にピン２５ｂを設け、ピン２５ｂを接続部材２７の圧接部２７ｂに圧接したので、接続部材２５、２７の圧接面が面接触である場合よりも圧接面における挙動をスムーズにすることができ、読取センサ９、１１の取り付け後に読取センサの位置調整を容易に行うことができる。
【００７４】
また、本実施の形態では、読取センサ９、１１を保持するベース部３１と、ベース部３３と読取センサ９、１１とを連結する支持部３３と備え、支持部３３が、ベース部３１と読取センサ９、１１とを主走査方向および副走査方向に位置調整自在に支持したので、温度環境の変化により読取センサ９、１１が主走査方向に膨張した場合でも、読取センサ９、１１が膨張による伸びに連動して移動することができ、読取センサ９、１１の変形を防止できる。
【００７５】
また、読取センサ９、１１を副走査方向に対して位置調整自在に支持しているので、読取センサ９、１１をベース部３１に取り付けた後においても、読取センサ９、１１を副走査方向に位置調整することができる。
【００７６】
また、本実施の形態では、読取センサ９、１１を上下方向に回動自在に支持するベース部３１と、ベース部３１と読取センサ９、１１との間に設けられ、読取センサ９、１１をベース部３１方向（回転方向）に付勢する第２ばね４３と、第２ばね４３の付勢力に抗して読取センサ９、１１を上下方向に押圧調整する調整ネジ４５とを備えたので、読取センサ９、１１をベース部に取り付けた後でも、調整ネジ４５を操作することによって読取センサ９、１１を上下方向に回動してピント調整を行うことができる。
【００７７】
なお、本発明は上述した実施の形態に限定されず、その要旨を逸脱しない範囲で種々の変形が可能である。さらに、本実施の形態では、千鳥状に配置した複数の読取センサ９、１１で原稿の中央部と両側部とに分けて画像の読み取りを行っているが、これに限らず、各読取センサ９、１１を読取面に対して斜めに配置し、原稿の中央部と両側部とを同時に読み取る画像読取装置２１としても良い。
【産業上の利用可能性】
【００７８】
以上のように、本発明に係る画像読取装置および画像形成装置は、簡単な構成で画像品質の向上を図ることができるという効果を有し、複写機、プリンタ装置、ファクシミリ装置等の画像形成装置およびこの画像形成装置に搭載される画像読取装置等として有用である。
【図面の簡単な説明】
【００７９】
【図１】本発明に係る画像読取装置および画像形成装置の一実施の形態を示す図であり、その画像読取装置を備えた画像形成装置の概略構成図である。
【図２】一実施の形態の画像読取装置の断面図である。
【図３】一実施の形態の画像読取装置の上面図である。
【図４】一実施の形態のベース部の上面図である。
【図５】一実施の形態の接続部材の斜視図である。
【図６】一実施の形態の原稿の読取動作を示す図である。
【図７】一実施の形態の画像処理装置の回路図である。
【図８】画像読取装置に用いられる読取センサをタイプ別に示す斜視図であり、（ａ）は原稿の幅全体の長さを有する読取センサを示す図、（ｂ）は原稿の主走査方向に千鳥状に配置する読取センサを示す図、（ｃ）は縮小レンズを用いる読取センサを示す図である。
【符号の説明】
【００８０】
１  画像読取装置
９  第１読取センサ（読取手段）
１１  第２読取センサ（読取手段）
２５  一方の接続部材（一方の接続手段）
２５ｂ  ピン（円柱部材）
２６  第１ばね（付勢手段）
２７  他方の接続部材（他方の接続手段）
２７ｂ  圧接部
３１  ベース部
３３  支持部
４３  第２ばね（付勢手段）
４５  調整ネジ（調整部材）
Ｓ  原稿
【図１】
2005198254.tif 000003
【図２】
2005198254.tif 000004
【図３】
2005198254.tif 000005
【図４】
2005198254.tif 000006
【図５】
2005198254.tif 000007
【図６】
2005198254.tif 000008
【図７】
2005198254.tif 000009
【図８】
2005198254.tif 000010